(57)【要約】  【解決手段】  ねじは、略平坦なワッシャ形状の頭部を有する。前記頭部の座面には、前記ねじの胴部の周囲に円周方向に配置された複数のカッターまたは鋭利な楔が配置されている。前記カッターは、前記ねじが木材のような繊維状物質に挿入されるとき物質を切断または削り取り、前記ねじの座ぐり加工を促進する。前記カッターは、三角形くさび形状または四辺形くさび形状である。１若しくはそれ以上のポケットが、前記カッターから径方向内側に配置され、繊維状物質を収容して所定位置に前記ねじを固定するのを助長する（すなわち、前記ねじが時間の経過とともに弛緩するのを防ぐ）。これらのポケットは、前記胴部の周囲に円周方向に配置された円形状ポケットである。或いは、単一の環状ポケットが前記胴部の周囲に提供される。  【選択図】      図１
2013505401.tif 000002
【特許請求の範囲】
【請求項１】
ねじであって、
少なくとも一部分にわたって複数のねじ山を有する細長い胴部であって、当該ねじ山は前記胴部の第１の端部の先端部で終端するものである、前記細長い胴部と、
前記胴部の
第２の端部に配置され、実質的に平坦な座面を有する頭部と、
前記頭部の座面に円周方向に配置された複数のカッターであって、前記ねじが挿入される繊維状物質の表面から物質を切除することにより、座ぐり加工を促進するようになっているものである、前記カッターと、
前記カッターから径方向に離間して配置された少なくとも１つのポケットであって、前記ねじが前記繊維状物質に挿入されるとき前記繊維状物質の少なくとも一部を収容するものである、前記ポケットと
を有するねじ。
【請求項２】
請求項１記載のねじにおいて、前記少なくとも１つのポケットは、前記カッターから径方向内側に配置された環状溝部を有するものであるねじ。
【請求項３】
請求項１記載のねじにおいて、前記少なくとも１つのポケットは、前記胴部の周囲に円周方向に配置され、且つ前記カッターから径方向内側に配置された複数のポケットを有するものであるねじ。
【請求項４】
請求項３記載のねじにおいて、前記カッターの数は前記ポケットの数より多いいものであるねじ。
【請求項５】
請求項４記載のねじにおいて、前記カッターの前記ポケットに対する比率は２：１であるねじ。
【請求項６】
請求項５記載のねじにおいて、１４個のカッターと７個のポケットとを有するものであるねじ。
【請求項７】
請求項１〜６のいずれか１つに記載のねじにおいて、前記カッターは、四辺形くさび形状であるねじ。
【請求項８】
請求項１〜６のいずれか１つに記載のねじにおいて、前記カッターは、三角形くさび形状であるねじ。
【請求項９】
１つの繊維状物質にねじを締結させる方法であって、
前記繊維状物質の表面に前記ねじの先端部を位置付ける工程と、
前記ねじに回転力を加えて前記ねじの頭部の座面に備えられたカッターが前記繊維状物質の表面から前記繊維状物質の一部を切除するまで前記ねじをねじ込む工程であって、これにより、前記ねじの頭部の前記繊維状物質の表面に対する座ぐり加工が促進されるものであり、前記回転力は前記繊維状物質の一部が前記ねじの頭部の座面に形成された１若しくはそれ以上のポケットに進入するまで加えられるものである、前記回転力を加える工程と
を有する方法。
【請求項１０】
請求項９記載の方法において、前記繊維状物質は、前記胴部の座面に形成され、且つ前記カッターから径方向内側に配置された環状ポケットに進入するものである方法。
【請求項１１】
請求項９記載の方法において、前記繊維状物質は、前記胴部の座面に形成され、且つ前記カッターから径方向内側に配置された複数のポケットに進入するものである方法。
【請求項１２】
ねじ山を有する締結部材であって、
胴部と、
前記胴部の一端部に配置され、座面を有する頭部であって、
当該座面に、繊維状物質の表面に対して前記頭部を座ぐり加工する複数のカッターが配置されているものであり、
前記頭部は、さらに、前記胴部の周囲に配置され、且つ前記カッターから径方向内側に配置される少なくとも１つのポケットを含み、当該ポケットは前記ねじ部品が挿入されるとき、前記繊維状物質の一部を収容するものである、
前記頭部と
を有する締結部材。
【請求項１３】
請求項１２記載の締結部材において、複数の三角形くさび形状のカッターを有するものである締結部材。
【請求項１４】
請求項１２記載の締結部材において、複数の四辺形くさび形状のカッターを有するものである締結部材。
【請求項１５】
請求項１２記載の締結部材において、前記胴部の周囲に円周方向に配置された単一の環状カッターを有するものである締結部材。
【請求項１６】
請求項１２記載の締結部材において、前記胴部の周囲に円周方向に配置された複数のポケットを有するものである締結部材。
【請求項１７】
請求項１２〜１６のいずれか１つに記載の締結部材において、前記カッターの前記ポケットに対する比率は２：１である締結部材。
【請求項１８】
請求項１２〜１６のいずれか１つに記載の締結部材において、１４個のカッターと７個のポケットとを有するものである締結部材。
【発明の詳細な説明】
【技術分野】
【０００１】
本発明はねじ山を有する締結部材に関し、より具体的には、概して皿頭を有するねじに関する。
【背景技術】
【０００２】
木材、木材の様な物質、および複合材などの繊維状物質用の自動皿座ぐりねじが、２００２年４月１６日付けで交付された本出願人（Ｗａｌｔｈｅｒら）のカナダ特許第２，１９８，８３２号に開示されている。この自動皿座ぐりねじは、ねじ回しの先端を収容するようになっている穴部を有する逆円錐形の頭部を含み、且つ、複数の三角陥凹部を有する円錐形座面を有し、当該円錐形座面の各々は鋭利な刃と切りくずを収容するための空間を形成するように内部へ延長した側面とを有する。前記鋭利な刃は、ねじが被加工物を貫入するとき皿穴を形成するように設計されている。この自動皿座ぐりねじは、容易に且つ効率的に挿入することが可能である。
【０００３】
木ねじ（またはその他の繊維状物質用のねじ）に関して常に問題となっていたことの１つは、時間の経過に伴って弛緩する傾向があるということである。そのため、自動皿座ぐりするだけでなくより弛緩し難い繊維状物質用の改善されたねじを提供することが非常に望まれている。
【発明の概要】
【課題を解決するための手段】
【０００４】
広義において、本発明は、ねじ頭部の座面に複数のカッターと１若しくはそれ以上のポケットとを有する新規ねじを提供する。前記ねじが挿入されると、前記カッターは、前記ねじの頭部が当接する被加工物の表面から物質を刮げ取るまたは削り取ることにより、座ぐり加工する。前記１若しくはそれ以上のポケットは、前記ねじが挿入される前記被加工物から物質を収容し、これにより所定位置に前記ねじを固定する。前記ポケットに進入する物質により前記ねじの弛緩が防止される。
【０００５】
従って、本発明の主要な観点は細長い胴部を有するねじであって、当該胴部の少なくとも一部分にわたって複数のねじ山を有し、当該ねじ山は前記胴体の第１の端部の先端部で終端している。前記ねじは前記胴部の第２の端部に配置され、実質的に平坦な座面を有する頭部を有する。複数のカッターが前記頭部の座面に円周方向に配置されている。前記カッターは、前記ねじが挿入される繊維状物質の表面から物質を切除することによって座ぐり加工を促進するようになっている。少なくとも１つのポケットは前記カッターから径方向に離間して配置されており、前記ねじが前記繊維状物質に挿入されるとき、前記繊維状物質の少なくとも一部を収容する。
【０００６】
本発明の別の主要な観点は、１つの繊維状物質にねじを締結する方法である。前記方法は、前記繊維状物質の表面に前記ねじを位置付ける工程と、前記ねじに回転力を加えて、前記ねじの頭部の座面に位置するカッターが前記繊維状物質の表面から前記繊維状物質の一部を切除するまで前記ねじを前記繊維状物質にねじ込む工程であって、これにより前記ねじの頭部の前記繊維状物質の表面に対する座ぐり加工が促進されるものである、前記回転力を加える工程とを含む。前記回転力は、前記繊維状物質の一部が前記ねじの頭部の座面に形成された１若しくはそれ以上のポケットに進入するまで加えられる。
【０００７】
本発明のさらに別の観点は、胴部と当該胴部の一端部に配置される頭部とを含むねじ山を有する締結部材である。前記頭部は座面を有し、当該座面には繊維状物質の表面に対して前記頭部を座ぐり加工するための複数のカッターが配置されている。前記頭部はさらに、前記胴部の周囲に配置され、且つ前記カッターから径方向内側に配置される少なくとも１つのポケットを含み、当該ポケットは前記ねじ部品が挿入されると前記繊維状物質の一部を収容するようになっている。
【図面の簡単な説明】
【０００８】
本発明の更なる特徴および利点は、添付の図面と併用することにより、以下の詳細な説明から明らかになるであろう。
【図１】図１は、本発明の第１の実施形態に従った新規ねじの頭部の座面の等角図である。
【図２】図２は、図１のねじの上平面図である。
【図３】図３は、図１のねじの側面図である。
【図４】図４は、横断面４−４から切り取られた図１のねじの断面図である。
【図５】図５は、図１のねじの底平面図である。
【図６】図６は、図１のねじの一部分の拡大断面図である。
【図７】図７は、本発明の第２の実施形態に従った新規ねじの頭部の座面の等角図である。
【図８】図８は、図７のねじの上平面図である。
【図９】図９は、図７のねじの側面図である。
【図１０】図１０は、横断面１０−１０から切り取られた図７のねじの断面図である。
【図１１】図１１は、図７のねじの底平面図である。
【図１２】図１２は、図７のねじの一部分の拡大断面図である。
【図１３】図１３は、本発明の第３の実施形態に従った新規ねじの頭部の座面の等角図である。
【図１４】図１４は、図１３のねじの上平面図である。
【図１５】図１５は、図１３のねじの側面図である。
【図１６】図１６は、横断面１６−１６から切り取られた図１３のねじの断面図である。
【図１７】図１７は、図１３のねじの底平面図である。
【図１８】図１８は、図１３のねじの一部分の拡大断面図である。
【０００９】
添付の図面全体にわたって、同様の機能は同様の参照番号によって識別されていることに気が付くであろう。さらに、前記図面は必ずしも縮尺ではないことについても留意されるべきである。
【発明を実施するための形態】
【００１０】
一般に（および導入部として）、本発明は頭部の座面にカッターと、１若しくはそれ以上のポケットとを有する新規ねじを提供する。前記頭部が物質の表面に当接すると、前記カッターは当該表面から物質を刮げ取るまたは削り取ることにより、座ぐり加工を促進する。前記ポケットは、前記ねじが貫入される被加工物からの物質を収容することによって所定位置に前記ねじを固定する、すなわち前記ポケットに進入する前記物質により、前記時間の経過と共にねじが緩むのを阻止、または少なくとも抑制する。
【００１１】
図１〜１８は、本発明を説明する実施例によって提示する本発明の３つの実施形態を図示する。図１〜６は、本発明の第１の実施形態を図示しており、前記ねじが四辺形くさび形状の複数のカッターと、前記ねじの胴部の周囲に配置された単一の環状ポケットとを有する。図７〜１２は、本発明の第２の実施形態を図示しており、前記ねじが前記頭部の座面に複数の円形ポケットを有する。図１３〜１８は、本発明の第３の実施形態を図示しており、前記カッターは三角形くさび形状である。
【００１２】
図１〜６に示すように、一般に参照番号１０として指定されているねじは、細長い胴部１２を有し、当該胴部の少なくとも一部分にわたって複数のねじ山１４を有し、当該ねじ山は前記胴部の第１の端部１８の先端部１６で終端している。言い換えると、前記胴部（軸部）はねじ山部分と非ねじ山部分とを有する。前記ねじはまた、前記胴部の第２の端部２２に頭部２０が配置されている。前記頭部は、実質的に平坦な座面２４を有する。図に示すように、前記胴部と前記頭部の間にはテーパーの付いた（円錐台）中間（首）部がある。
【００１３】
複数のカッター（切歯）２６は、前記頭部の座面に円周方向に配置されている。前記カッターは、配向された鋭利な刃先を有し、或いは繊維状物質（例えば、木材、複合材、および同様の物質）の表面に対して回転されるとき、当該繊維状物質を切除する（すなわち、当該物質を刮げ取るまたは削り取る）ようになっている鋭利な刃先を有している。前記カッターは、これにより座ぐり加工を促進する。前記カッターはまた、前記表面に対して回転されるとき付随的に破片または切りくずを発生させる。
【００１４】
少なくとも１つのポケット２８は前記カッターから径方向に間隔を空けて配置され、前記ねじが前記物質に貫入されるとき、前記繊維状物質の一部を収容する。前記ポケットは、物質を収容する適切な凹部、穴部、または空洞部であってよい。場合によっては、前記繊維状物質の破片、突出部、または他の要素が前記ポケットの中に延長するまたは進入すする。これらは、前記ねじの回転に伴い前記ねじの固定を促進する。他の事例では、前記対象となる繊維状物質の特性にもよるが、前記表面の前記繊維状物質の一部は前記ポケット内に押込まれる。更に、恐らく多少の破片がこれらのポケットに収集されることも考えられる。破片により前記繊維質物質の前記ポケット内への蓄積が助長され、望ましくない緩みに抗して前記ねじがさらに固定される。
【００１５】
この第１の実施形態の前記ポケットは、前記胴部（軸部）を取り囲み、且つ前記カッターの径方向内側に配置される環状凹部（環状ポケット）である。図１〜６に図示する特定の実施形態において、前記カッター２６は四辺形くさび形状である。ある特定の実施形態において、前記カッター２６の数は１４個であるが、当然のことながらその個数は変更可能である。前記ねじはまた、ねじ回しの先端部の形状に対応し、当該ねじ回しが挿入されて前記ねじを回転させる回転力を提供する穴部３０を有する。図面においては、前記穴部の１実施形態が図示されているが、あらゆるタイプの穴部が本発明の実施形態で使用され得ることを理解されたい。
【００１６】
図７〜１２に図示する前記第２の実施形態において、前記ねじ１０は、環状凹部（環状ポケット）の代わりに複数の別個のポケット２８を有する。前記ポケット２８は、この第２の実施形態で図示するように円形である。前記別個のポケットは、繊維状物質を収容するおよび／または偶発的に破片を収集および保持する四辺形、長方形、楕円形、またはその他の適切な形状である。
【００１７】
図１３〜１８に図示する前記第３の実施形態において、前記ねじは三角形くさび形状のカッター２６を有しているが、前記円形ポケット２８は前記第２の実施形態に示すものと同様である。本明細書で図示する前記四辺形くさび形状および前記三角形くさび形状の代わりに、他のあらゆる適切な刃の形状が使用できる。カッターの機能を保持するように提供されたカッターに適切なあらゆる形状が用いられる。同様に、上述したように、前記ポケットは、前記ねじが被加工物の表面に貫入されるとき、前記物質の一部を収容することができるように提供されるあらゆる適切な形状である。前記物質を前記ポケットの中に収容することによって、前記ねじは時間の経過と共により緩みに難くなる。
【００１８】
上述したおよび添付の図で図示した前記ねじは、主に繊維状物質（例えば、木材、複合材、および他のリグノセルロース物質）で使用されるように設計されている。本発明の実施形態は、カッターにより座ぐり加工され、且つ、前記ポケットにより、望ましくない緩みに抗して前記ねじを固定する物質を収容する他のタイプのねじ部品および物質にも適用される可能性がある。従って、本発明はねじ部品であって、胴部（または軸部）と、前記胴部の１つの端部に配置される頭部とを有し、前記頭部は座面を有し、当該座面には座ぐりする複数のカッターと、前記胴部の周囲に配置され、且つ前記カッターから径方向内側に配置される、前記ねじ部品が挿入されとき物質を収容する少なくとも１つのポケットとが配置される。第一義的な意図はこの技術をねじに適用することであるが、他のタイプのねじ部品にも理論的には適用可能である。
【００１９】
本発明を、例示的および例証のみを目的とした特定の実施形態、実施例、実施、および構成の観点から説明してきた。この革新的な技術の他の変形、修正、改良、および応用は、本明細書の開示を読むことによって利益を得た当業者にとっては容易に明らかになるであろう。このような変形、修正、改良、および応用は、本発明の範囲および領域内である。従って、本発明に対して本出願者によって求めらる独占権の範囲は、添付の特許請求の範囲およびこれらの法的均等物によってのみ限定されることを目的とする。
【図１】
2013505401.tif 000003
【図２】
2013505401.tif 000004
【図３】
2013505401.tif 000005
【図４】
2013505401.tif 000006
【図５】
2013505401.tif 000007
【図６】
2013505401.tif 000008
【図７】
2013505401.tif 000009
【図８】
2013505401.tif 000010
【図９】
2013505401.tif 000011
【図１０】
2013505401.tif 000012
【図１１】
2013505401.tif 000013
【図１２】
2013505401.tif 000014
【図１３】
2013505401.tif 000015
【図１４】
2013505401.tif 000016
【図１５】
2013505401.tif 000017
【図１６】
2013505401.tif 000018
【図１７】
2013505401.tif 000019
【図１８】
2013505401.tif 000020
【国際調査報告】
2013505401.tif 000021
2013505401.tif 000022